(57)【特許請求の範囲】
【請求項１】
外周にネジが設けられたボトルの口部に取り付けられ、注出口より液体を注ぐことができるボトルキャップであって、
前記口部に取り付けられ、該口部内と連通する開口を有する内蓋と、
前記内蓋の外側に位置し、前記内蓋に遊転自在に連結され、且つ前記内蓋外面にアクセス可能な開口を有する外蓋と、
前記外蓋の開口からアクセス可能な前記内蓋に設けられ、前記外蓋の開口から挿入される操作具と係着する係合部と、を備え、
前記外蓋の開口は、前記内蓋の開口を介して前記口部内部と連通し、前記注出口をかねていることを特徴とするボトルキャップ。
【請求項２】
前記外蓋の開口は、該開口から挿入される操作具と接し、前記遊転を規制する規制部を有することを特徴とする請求項１記載のボトルキャップ。
【請求項３】
前記外蓋は帽筒状で、前記外蓋の開口は筒部周面に位置し、前記係合部は該外蓋で覆われていることを特徴とする請求項１又は２記載のボトルキャップ。
【請求項４】
前記外蓋の開口の幅と、前記係合部に係着する操作具の幅が略同じであることを特徴とする請求項１乃至３の何れか１項記載のボトルキャップ。
【請求項５】
前記外蓋の開口が対向して複数設けられていることを特徴とする請求項１乃至４の何れか１項記載のボトルキャップ。
【請求項６】
前記内蓋の係合部が複数設けられていることを特徴とする請求項１乃至５の何れか１項記載のボトルキャップ。
【請求項７】
前記外蓋は前記内蓋の内側より止め具で遊転可能に連結されていることを特徴とする請求項１乃至６の何れか1項記載のボトルキャップ。
【発明の詳細な説明】
【技術分野】
【０００１】
本発明はボトルキャップに関し、詳しくは異物混入防止の機能を備えたボトルキャップに関する。
【背景技術】
【０００２】
ウイスキーやブランデー等のボトルをお店に預けておき、来店毎に預けてある自分のボトルを出してもらって飲酒する、所謂、ボトルキープの制度が飲酒業界で運用されている。
しかし、この制度は、お店がボトルキープされた全てのお客のボトルを保管しておく必要があり、ボトルの保管スペースが問題となっていた。
【０００３】
そこで、前記保管スペースの問題を解消する案として、お客様がボトルキープされた中身を、種類、メーカー等で同じものを他の容器に移して一括保管し、ボトルキープされたお客様毎に残量を記憶しておく。そして、お客が来店した際には、そのお客の記憶された残量を前記一括容器から計量して専用のボトルに入れて提供するシステムが導入され始めている。
【０００４】
しかし、この場合、お客に提供されるボトルは、一般的なネジキャップ、或いはコルク栓などが取り付けられた汎用の蓋付きボトルであるので、簡単にキャップや栓を外してボトルに異物が混入される虞れがあった。
【０００５】
尚、異物混入防止として、例えば、中栓に開口した取出孔を塞ぐ栓体に、該栓体を取出孔から外すのを阻止する係止体を設けた構造が提案されている（特許文献１参照）。
しかし、この構造は、正規な開蓋操作以前に不正開蓋が行われたか否かを判別できるようにしたもので、正規に開蓋した後において前記中栓の取出孔はキャップを外すことで露出状態となり、異物が混入される虞れがある。
【先行技術文献】
【特許文献】
【０００６】
【特許文献１】特開２００２−２１１６１８号公報
【発明の概要】
【発明が解決しようとする課題】
【０００７】
本発明は上記従来の技術が有する問題点に鑑みてなされたもので、ボトルへの異物混入を防止でき、且つ、ボトル内の液体を容易に注出することができるボトルキャップを提供することを目的とする。
【課題を解決するための手段】
【０００８】
上記目的を達成するために本発明のボトルキャップは、外周にネジが設けられたボトルの口部に取り付けられ、注出口より液体を注ぐことができるボトルキャップであって、前記口部に取り付けられ、該口部内と連通する開口を有する内蓋と、前記内蓋の外側に位置し、前記内蓋に遊転自在に連結され、且つ前記内蓋外面にアクセス可能な開口を有する外蓋と、前記外蓋の開口からアクセス可能な前記内蓋に設けられ、前記外蓋の開口から挿入される操作具と係着する係合部と、を備え、前記外蓋の開口は、前記内蓋の開口を介して前記口部内部と連通し、前記注出口をかねていることを特徴とする。
つまり、操作具を、遊転する外蓋の内側に位置する内蓋へアクセスすることができることで、内蓋を締め付け、開放することができるので、内蓋、外蓋をボトルに対して容易に着脱することができる。また、操作具が無いと外蓋は内蓋に対して遊転するだけであるので、操作具を持たない人はボトルの口部にアクセスすることができず、外部からボトルの口部への異物混入を防ぐことができる。そして、開口は操作具と略同じ大きさの開口でもよいし、あるいは、例えば内蓋、外蓋が略円筒形状の場合で、外蓋の側面の全周に亘って高さが狭く操作具が挿入できる隙間を設けるようにしてもよい。このように全周に亘って開口があった場合でも、僅かな高さであれば、該隙間から異物を混入することは不可能になる。
そして、前記外蓋にはボトル内の液体を注出する注出口が形成されるが、該注出口は前記操作具挿入用の開口が兼ねる構成としているので、別に注出口が存在しないため、注出口を間違うといったことがなく、スムーズに液体を注ぐことができる。
また、前記外蓋の開口から挿入された操作具と接し、前記遊転を規制する規制部を有するようにする。そして、規制部としては、例えば、開口が一定の幅であれば、その開口の端部が規制部に相当する。つまり、操作具を開口から挿入し、操作具を内蓋の係合部に係着させた状態で外蓋を回転した際に、開口の端部と操作具とが接し、外蓋の遊転が規制されるようになる。これにより、外蓋と内蓋とが操作具を介して連結一体化された状態になり、該外蓋だけの回動で前記内蓋が口部から取り外されるようになる。すなわち、外蓋を回転すると、外蓋の開口端部と操作具とが接し、外蓋と操作具が一緒に回転するようになる。そして、操作具が回転すると、操作具と係着されている内蓋が回転するようになり、外蓋、内蓋共にボトルから取り外すことができる。このように、操作具を用いることで、前記外蓋と内蓋とが一体となり回転するようになるので、操作具は内蓋と外蓋とを一体化させる連結具として作用する。
【０００９】
上記手段によれば、外蓋の開口より操作具を挿入し、その連結具の挿入部分を内蓋の係合部に係着することで、外蓋と内蓋が操作具を介して連結一体化されるので、通常のボトルにキャップが取り付けられている状態からキャップを開け閉めするのと同様に、外蓋を持って開け閉めの操作をすることができるので、余計な力を必要とすることなく蓋の着脱操作をすることができる。このように、前記外蓋と内蓋を連結一体化した状態でボトルの口部に装着し、外蓋を回動すると連結された内蓋が一緒に回動して口部に締着される。締着後、操作具を外蓋から外すと外蓋と内蓋の連結は解除され、外蓋は内蓋に対し遊転可能となるが、口部に締着された内蓋は締着状態を維持し、内蓋の取り外しを阻止する。それにより、ボトル内への異物の混入を防止できる。
【００１０】
また、前記外蓋は帽筒状とし、前記外蓋の開口は筒部周面に開設し、前記内蓋の係合部は前記外蓋で覆われるようにする。
この場合は、筒部を持って外蓋の回動ができるため、内蓋と外蓋を連結した状態での回動操作を容易に行うことができる。また、前記開口が注出口を兼ねる場合、その開口が筒部周面に形成されることで、注出操作を楽に行うことができる。
【００１１】
また、前記外蓋の操作具が挿入される開口の幅は、操作具の幅より大きければよいが、該操作具の幅と同じ幅（操作具の幅と同じ幅、又は操作具の幅より僅かに大きい幅）とすることで、操作具を介して外蓋と内蓋が連結一体化されるまでの遊び代をなくし、殆どダイレクトに内蓋を回動することが可能となる。
【００１２】
また、前記外蓋の操作具が挿入される開口は１個でもよいが、該外蓋に対向して複数個（例えば２個）設ける。即ち、外蓋に形成する２個の開口を直径線上に対向して配置した場合、その一方の開口よりボトル内の液体を注ぐ際、他方の開口は反対側の上方に位置するため、他方の開口から液体が注出されるのを防止できる。
また、内蓋の係合部も１個に限らず、複数個設けてもよい。それにより、操作具を挿入する開口と、操作具と係着する係合部との対応箇所が複数個所となり、前記外蓋と内蓋の連結一体化の操作を迅速に行うことができる。
【００１３】
また、前記外蓋と前記内蓋は相対して遊転自在に連結されるが、前記外蓋の連結を内蓋の内側より止め具（例えば、ビス等）で連結することで、本キャップがボトルの口部に取り付けられた状態では、前記止め具が外部に露出していないため、外部より不正に外蓋を外すのを防止できる。
【発明の効果】
【００１４】
本発明のボトルキャップは、ボトルの口部に締着取り付けられた状態ではボトル内と連通する内蓋の開口は外蓋で覆われ、しかも、該外蓋は前記内蓋に対して遊転自在に支持されているため、操作具が無いと前記外蓋を回動しても内蓋を口部から外すことはできない。従って、内蓋及び外蓋を口部から外し、該口部から異物を混入する不正行為を防止できる。また、ボトル内の液体の注出は、内蓋の開口及び外蓋の注出口を介してスムーズに注出することができる。
【図面の簡単な説明】
【００１５】
【図１】本発明に係るボトルキャップの実施の形態の一例を示す縦断面図。
【図２】同一部切欠平面図。
【図３】分解斜視図。
【図４】内蓋に形成される係合部の変形例を示す平面図。
【発明を実施するための形態】
【００１６】
以下、本発明に係るボトルキャップの実施の形態の一例を図面に基づいて説明する。
本発明に係るボトルキャップＡは、ボトルＢの口部１２外周にネジ条の螺合によって締着し得る内蓋１と、その内蓋１に被嵌され、遊転可能に連結される帽筒状の外蓋２とで構成され、前記内蓋１と前記外蓋２は該外蓋２の外側から外蓋の内側に向けて挿入される操作具３を介して連結一体化されるようになっている。
【００１７】
前記内蓋１は、合成樹脂材によってボトルＢの口部１２に被嵌し得る天板部１ａと筒部１ｂとを有する帽筒状に形成され、前記筒部１ｂの内面にはボトルＢの口部１２外周面に形成されたネジ条１３と螺合するネジ条４が形成され、天板部１ａの中央部には前記外蓋２を組み付け連結するための取付孔５が形成されると共に、該取付孔５の周囲の口部１２内に臨む範囲内にはボトルＢ内の液体を注出する開口６が周方向に間隔を置いて複数個（図示例では６個を示す）形成されている。
【００１８】
また、前記内蓋１の天板部１ａの上面には、該内蓋１に被嵌される外蓋２の外側から挿入される操作具と係着する係合部７が、前記開口６の位置より径方向外側に位置し、且つ前記開口６相互間に位置させて複数個（図示例では６個）、突出形成されている。
その係合部７は、図１、２に示すように円柱状の突起形状とし、その円柱状の係合部７にフォーク状の操作具３が嵌合係着する形態、或いは図４に示す係合部７’は平面視略Ｖ字状の突部で、谷部に棒状の操作具３’が嵌合係着する形態など、何れでもよい。尚、図４に示す係合部７’の場合は、該谷部を形成する両側の壁面を外側に膨出した円弧面とすることで、棒状の操作具３’を係合部７’の谷部にスムーズに挿入係着することができる。
また、前記係合部７、７’の高さは、該内蓋１に被嵌する外蓋２の天板部２ａと内蓋１の天板部１ａの間に前記操作具３が挿入される間隙Ｓを形成すると共に、ボトルＢ内から該内蓋１の前記開口６を通って内蓋１の外へ流出する液体を外蓋２の開口へ案内する通路として機能する。
【００１９】
前記外蓋２は、前記内蓋１と同様、合成樹脂材によって前記内蓋１に被嵌し得る天板部２ａと筒部２ｂとを有する帽筒状に形成され、前記筒部２ｂの内径は前記内蓋１に対して殆ど遊び（ガタ）なく嵌合し得るように形成されている。
そして、前記天板部２ａの内側中央部には、外蓋２を前記内蓋１に遊転可能に連結する取付軸８が突出形成され、該取付軸８は前記内蓋１の取付孔５に嵌合され、内蓋１の内側から前記取付軸８の軸端にビス（止め具）９が螺着されて、内蓋１と外蓋２が相対して遊転自在に連結されている。
前記ビス（止め具）９は、内蓋１の天板部１ａを外蓋２の天板部２ａと該ビス（止め具）８とで遊転可能に挾着して両者を分離しないように連結するもので、該ビス（止め具）９の頭部幅は前記内蓋１の取付孔５の内径より大きければよい。
【００２０】
また、前記外蓋２の天板部２ａと筒部２ｂとの連設部（角部）には、前記内蓋１の天板部１ａの外面にアクセス可能な開口１０が形成されている。具体的には、内蓋１の天板部１ａと外蓋２の天板部２ａとで形成される前記間隙Ｓに連通する開口１０が、該外蓋２の周面２か所に対向して形成されている。それにより、前記内蓋１の天板部１ａ上面に形成された係合部７（又は係合部７’）に連結具３（又は連結具３’）を挿入係着することができる。つまり、操作具３を開口１０へ挿入することで、外蓋２の内蓋１に対する回転は規制され、その回転が固定されるようになる。
また、前記開口１０は操作具３（又は操作具３’）を前記間隙（通路）Ｓに挿入するための開口であるから、前記開口１０の開口幅（周方向に沿った長さ）は、少なくとも操作具３（又は操作具３’）の横幅と同じ幅か、操作具３（又は操作具３’）の横幅より大きい幅とする。
そして、前記開口１０の横幅を、操作具３の横幅と略同じ幅とすることで、外蓋２の回動の遊びをなくして前記開口１０の端縁と操作具３の当接を行うことができる。
また、前記開口１０は操作具３（又は操作具３’）を挿入するための開口としてだけでなく、本キャップＡがボトルＢの口部に締着された状態では、液体の注出口を兼ねることができる。前記開口１０からの液体の注出は、前記内蓋１の開口６→間隙（通路）Ｓ→開口１０を通ってボトルＢ外に注出することが可能となる。つまり、開口１０は、操作具３を挿入でき液体を注ぐことができるだけの大きさでよいので、ごく小さな大きさとすることができるので、外部からの異物混入を防ぐことができる。
【００２１】
前記操作具３は、図１〜図３に示す係合部７の場合、金属製帯板に、該係合部７が嵌入し得る幅の溝１１を切欠き形成したフォーク形状に形成され、帯板の反対側端部は外蓋２の回動操作の邪魔にならないように直角上向きに折り曲げ形成されている。
また、前記操作具３を構成する帯板の横幅は、前記外蓋２の開口１０の横幅と略同じ幅とすることで、前記外蓋２の開口１０の周方向の端縁と該操作具３の幅方向の端縁の当接係合を、外蓋２の回動を遊びなく行うことができる。尚、操作具３を構成する帯板の幅を、図１〜図３に示ように係合部７が円周上に等間隔を置いて６個形成された場合、前記操作具３の溝１１は前記係合部７の何れかに嵌合係着されるが、その場合前記操作具３の幅方向両側縁が溝１１に嵌合する係合部７の左右隣りに配置された係合部７の外周面と当接する幅とすることで、該操作具３を介しての内蓋１と外蓋２の連結一体化をより安定して強固に行うことができる。
また、図４に示す係合部７’の場合、操作具３’は係合部７’の谷部に嵌入する棒状（丸棒、角棒等）とする。
【００２２】
上記のごとく構成したボトルキャップＡは、先ず操作具３の溝１１が形成された部分を、外蓋２の開口１０より間隙（通路）Ｓに向けて挿入し、前記溝１１を内蓋１の天板部１ａ上面に形成された係合部７に嵌合係着する。そして、該開口１０の周方向端部（規制部である外蓋の回転方向に対し上流側の端部）が開口１０に挿入された操作具３の幅方向の端縁と当接することで、外蓋２の回動が規制されて内蓋１と外蓋２が連結一体化される。
従って、ボトルキャップＡをボトルＢの口部１２に締着する時は、該ボトルキャップＡに操作具３を挿入して内蓋１と外蓋２を連結一体化し、その状態で口部１２に被嵌し、外蓋２を締め付け方向（時計回り方向）に回動することで、内蓋１も一緒に同方向に回動され、内蓋１のネジ条４が口部１２のネジ条１３に螺合してボトルキャップＡを口部１２に締着することができる。
そして、ボトルキャップＡをボトルＢに締着後、前記操作具３を外蓋２より抜き取ると内蓋１と外蓋２の連結が解除され、外蓋２は内蓋１に対して遊転自在となる。従って、操作具３が取り外された状態では、外蓋２を回動してもその回転力は内蓋１に伝達されず、内蓋１を口部１２から取り外すことはできない。
【００２３】
また、ボトルＢの口部１２に締着されたボトルキャップＡを取り外す場合は、外蓋２の開口１０より操作具３を挿入して内蓋１と外蓋２を連結一体化させ、その状態で、外蓋２を反時計回り方向に回動すると、内蓋１も同方向に回動され、ボトルキャップＡを口部１２から取り外すことができる。
よって、前記操作具３がなければボトルキャップＡを外すことはできず、ボトルキャップＡを外してボトルＢ内に異物を混入する不正行為を防止することができる。
【００２４】
また、ボトルＢにボトルキャップＡが締着された状態においては、内蓋１の開口６は外蓋２の天板部２ａで覆われているため、該開口６よりボトルＢ内に異物を混入しようとする不正行為を防止することができる。
そして、ボトルキャップＡが締着された状態においては、ボトルＢを傾けることで前記外蓋２の開口１０より液体を注出することができる。また、外蓋２に前記開口１０とは別に専用の注出口が設けられている場合は、その注出口を下にして傾けることで液体を注出することができる。尚、開口１０と別に注出専用の開口を設ける場合は、前記開口１０から離れた位置とし、ボトルを傾けた場合に前記開口１０から液体が流れ出ないようにする。
【００２５】
本発明のボトルキャップは図示した実施の形態に限定されず、本発明の要旨を変更しない範囲で適宜変更可能である。
（１）実施の形態では、外蓋の開口を天板部と筒部の両者にまたがって開設した例を示したが、これに限定されず、例えば、筒部のみに開設してもよい。また、外蓋の開口は２個に限らず、１個、或いは３個以上でもよい。但し、開口を多数設け、それら開口が注出口を兼ねる場合、液体が相隣れる２個（複数）の開口から出たりしないように、開口の幅、開口の位置を調整する必要がある。
（２）実施の形態では、内蓋の係合部が６個、外蓋の開口が２個（対向位置）の例を示したが、これに限定されず、例えば、内蓋の係合部が１個、外蓋の開口も１個の組み合わせ、或いは、内蓋の係合部が多数、外蓋の開口が１個の組み合わせなど、任意である。尚、内蓋の係合部及び外蓋の開口の個数を両方とも多数個とした場合、操作具を挿入する係合部と開孔の対応箇所の位置合わせを、外蓋の少ない回動で容易に行うことができる。
（３）実施の形態では、外蓋２の開口１０から挿入された操作具３の溝１１が、内蓋１の係合部７に係合される例を示したが、これに限らず、内蓋１の筒部１ｂの高さを外蓋２の天板部２ａの背面に付く位置まで設け、開口１０から操作具３が挿入される位置の筒部１ｂに、開口１０と同様に操作具３が挿入される開口を設け、それらの開口に操作具３が挿入されることで内蓋１と外蓋２とを一体化させるようにしてもよい。
【符号の説明】
【００２６】
Ａ…ボトルキャップ                Ｂ…ボトル
１…内蓋                          ２…外蓋
３，３’…操作具                        ６…内蓋の開口
７，７’…係合部                      １０…外蓋の開口
１２…ボトルの口部                  Ｓ…間隙（通路）
【図１】
0005866805.tif 000002
【図２】
0005866805.tif 000003
【図３】
0005866805.tif 000004
【図４】
0005866805.tif 000005